(57)【要約】【課題】アドレス区間においてスキャン電極とアドレス電極との間にアドレス放電時に発生する誤放電を防止するプラズマディスプレイ装置を提供する。【解決手段】アドレス区間においてアドレス電極に印加されるデータ信号の幅を互いに異なるように設定する。特に、データ信号間に上昇期間、維持期間、下降期間を互いに異なるように設定することによって、アドレス区間において誤放電による駆動効率の低下及び画質減少を改善でき、ピック電流による回路破損を防止できるという効果がある。【選択図】図６ａ
2007114790.tif 000002
【特許請求の範囲】
【請求項１】
画像を表示するために、単位フレームを複数のサブフィールドに時分割駆動するプラズマディスプレイ装置において、
前記複数のサブフィールドのうちのいずれかのサブフィールドにおいて、
複数のデータ信号のうち、少なくともいずれか２つのデータ信号の幅が互いに異なることを特徴とするプラズマディスプレイ装置。
【請求項２】
前記データ信号が、上昇期間、維持期間、下降期間を含み、
前記上昇期間、維持期間及び下降期間の合計が、前記データ信号の幅をなし、前記上昇期間及び下降期間それぞれが、５０ｎｓ〜３００ｎｓの範囲であることを特徴とする請求項１に記載のプラズマディスプレイ装置。
【請求項３】
前記データ信号の下降期間が、上昇期間より長いことを特徴とする請求項２に記載のプラズマディスプレイ装置。
【請求項４】
前記データ信号の維持期間が、１ｕｓ〜５ｕｓの範囲であることを特徴とする請求項２に記載のプラズマディスプレイ装置。
【請求項５】
前記データ信号の維持期間が、１．５ｕｓ〜３ｕｓの範囲であることを特徴とする請求項２に記載のプラズマディスプレイ装置。
【請求項６】
前記複数のサブフィールドのうちのいずれかのサブフィールドにおいて、
複数のスキャン電極に印加されるスキャン信号が、各々下降期間、維持期間、上昇期間からなり、
前記スキャン信号の上昇期間と、前記スキャン信号と対応する前記データ信号の下降期間とが、互いに異なることを特徴とする請求項１に記載のプラズマディスプレイ装置。
【請求項７】
前記複数のサブフィールドのうちのいずれかのサブフィールドにおいて、
第１データ信号の上昇期間と、前記第１データ信号より印加時点の遅い第２データ信号の上昇期間とが、互いに異なることを特徴とする請求項１に記載のプラズマディスプレイ装置。
【請求項８】
前記複数のサブフィールドのうちのいずれかのサブフィールドにおいて、
第１データ信号の維持期間と、前記第１データ信号より印加時点の遅い第２データ信号の維持期間とが、互いに異なることを特徴とする請求項１に記載のプラズマディスプレイ装置。
【請求項９】
前記複数のサブフィールドのうちのいずれかのサブフィールドにおいて、
第１データ信号の下降期間と、前記第１データ信号より印加時点の遅い第２データ信号の下降期間とが、互いに異なることを特徴とする請求項１に記載のプラズマディスプレイ装置。
【請求項１０】
前記複数のサブフィールドのうちのいずれかのサブフィールドにおいて、
スキャン信号の開始時点と、前記スキャン信号と対応するデータ信号の開始時点とが、互いに異なることを特徴とする請求項１に記載のプラズマディスプレイ装置。
【請求項１１】
前記スキャン信号が印加される時点と、前記データ信号が印加される時点との差が、１０ｎｓ〜３００ｎｓの範囲であることを特徴とする請求項１０に記載のプラズマディスプレイ装置。
【請求項１２】
前記複数のサブフィールドのうちのいずれかのサブフィールドにおいて、
スキャン信号の終了時点と、前記スキャン信号と対応するデータ信号の終了時点とが、互いに異なることを特徴とする請求項１に記載のプラズマディスプレイ装置。
【請求項１３】
前記スキャン信号の終了時点と、前記データ信号の終了時点との差が、１０ｎｓ〜２００ｎｓの範囲であることを特徴とする請求項１２に記載のプラズマディスプレイ装置。
【請求項１４】
画像を表示するために、単位フレームを複数のサブフィールドに時分割駆動するプラズマディスプレイ装置において、
前記複数のサブフィールドのうち、第１サブフィールドでのデータ信号の幅と、第２サブフィールドでのデータ信号の幅とが、互いに異なることを特徴とするプラズマディスプレイ装置。
【請求項１５】
前記データ信号が、上昇期間、維持期間、下降期間からなり、
前記上昇期間、維持期間及び下降期間の合計が、前記データ信号の幅をなし、
前記データ信号の下降期間が、上昇期間より長いことを特徴とする請求項１４に記載のプラズマディスプレイ装置。
【請求項１６】
前記複数のサブフィールドにおいて、
アドレス区間においてスキャン電極に印加されるスキャン信号が、下降期間、維持期間、上昇期間を含み、
前記スキャン信号の上昇期間と、前記スキャン信号と対応する前記データ信号の下降期間とが、互いに異なることを特徴とする請求項１４に記載のプラズマディスプレイ装置。
【請求項１７】
前記第１サブフィールドでのデータ信号の上昇期間と、前記第２サブフィールドでのデータ信号の上昇期間とが、互いに異なることを特徴とする請求項１４に記載のプラズマディスプレイ装置。
【請求項１８】
前記第１サブフィールドでのデータ信号の維持期間と、前記第２サブフィールドでのデータ信号の維持期間とが、互いに異なることを特徴とする請求項１４に記載のプラズマディスプレイ装置。
【請求項１９】
前記第１サブフィールドでのデータ信号の下降期間と、前記第２サブフィールドでのデータ信号の下降期間とが、互いに異なることを特徴とする請求項１４に記載のプラズマディスプレイ装置。
【請求項２０】
前記複数のサブフィールドのうち、いずれか２つのサブフィールドにおいて、
アドレス区間においてスキャン電極に印加されるスキャン信号の開始時点と、前記スキャン信号と対応するデータ信号の開始時点との差が、互いに異なることを特徴とする請求項１４に記載のプラズマディスプレイ装置。
【請求項２１】
前記複数のサブフィールドのうち、いずれか２つのサブフィールドにおいて、
アドレス区間においてスキャン電極に印加されるスキャン信号の終了時点と、前記スキャン信号と対応するデータ信号の終了時点との差が、互いに異なることを特徴とする請求項１４に記載のプラズマディスプレイ装置。
【発明の詳細な説明】
【技術分野】
【０００１】
本発明は、プラズマディスプレイ装置に関し、特に、アドレス区間においてスキャン電極とアドレス電極との間にアドレス放電時に発生する誤放電を防止するために、複数のデータ信号のうち、少なくともいずれか２つのデータ信号の幅を互いに異なるようにするプラズマディスプレイ装置に関する。
【背景技術】
【０００２】
一般に、プラズマディスプレイパネルは、放電空間に配列された電極に所定の電圧を印加して放電を起こし、ガス放電の際に発生するプラズマが蛍光体を励起させることにより、文字又はグラフィックなどを含む画像を表示する装置であって、大型化、軽量化、及び平面薄型化が容易であり、上下左右に広い視野角を提供し、フルカラー及び高輝度を具現できるという長所がある。
【０００３】
このようなプラズマディスプレイパネルは、画像の階調を具現するために、単位フレームを発光回数の異なる複数のサブフィールドに分けて時分割駆動される。また、各々のサブフィールドは、前画面を初期化させるためのリセット区間、走査ラインを選択し、選択された走査ラインから放電セルを選択するためのアドレス区間、及び放電回数に応じて階調を具現するサステイン区間に分けられる。
【０００４】
アドレス区間には、スキャン信号がスキャン電極に順次印加されると同時に、アドレス電極には、正極性のデータ信号が印加されてアドレス放電が発生する。
【０００５】
しかしながら、従来では、データ信号の上昇期間及び下降期間に電位変化が急激になされるため、駆動装置が破損する場合があり、アドレス放電時に誤放電が発生するという問題があった。
【発明の開示】
【発明が解決しようとする課題】
【０００６】
本発明は、上述の問題点に鑑みてなされたものであって、その目的は、アドレス区間においてスキャン電極とアドレス電極との間にアドレス放電時に発生する誤放電を防止するプラズマディスプレイ装置を提供することにある。
【課題を解決するための手段】
【０００７】
上記の目的を達成すべく、本発明に係るプラズマディスプレイ装置は、画像を表示するために単位フレームを複数のサブフィールドに時分割駆動され、前記複数のサブフィールドのうちのいずれかのサブフィールドにおいて、複数のデータ信号のうち、少なくともいずれか２つのデータ信号の幅が互いに異なることを特徴とする。
【０００８】
このとき、前記データ信号が、上昇期間、維持期間、下降期間を含み、前記上昇期間、維持期間及び下降期間の合計が、データ信号の幅をなし、前記上昇期間及び下降期間それぞれが、５０ｎｓ〜３００ｎｓの範囲であり、維持期間が、１ｕｓ〜５ｕｓの範囲であることが好ましい。さらに好ましくは、データ信号の維持期間が、１．５ｕｓ〜３ｕｓの範囲に設定される。
【０００９】
また、前記複数のサブフィールドのうちのいずれかのサブフィールドにおいて、複数のスキャン電極に印加されるスキャン信号が、各々下降期間、維持期間、上昇期間からなり、前記スキャン信号の上昇期間と、前記スキャン信号と対応する前記データ信号の下降期間が、互いに異なることが好ましい。
【００１０】
前記スキャン信号の開始時点と、データ信号の開始時点とが、互いに異なることが好ましい。このとき、前記スキャン信号の開始時点とデータ信号の開始時点との間の時間差が、１０ｎｓ〜３００ｎｓであることが好ましい。
【００１１】
前記スキャン信号の終了時点と、データ信号の終了時点とが、互いに異なることが好ましく、その差が、１０ｎｓ〜２００ｎｓの範囲であることが好ましい。
【発明の効果】
【００１２】
本発明によれば、複数のデータ信号のうち、少なくともいずれか２つのデータ信号の幅を互いに異なるようにすることによって、アドレス区間においてスキャン電極とアドレス電極との間にアドレス放電時に発生する誤放電を防止することができる。
【発明を実施するための最良の形態】
【００１３】
以下、添付された図面を参照して、本発明に係るプラズマディスプレイ装置について詳細に説明する。
【００１４】
但し、本発明に係るプラズマディスプレイ装置は、本明細書に記載された実施の形態に限定されず、複数の実施の形態が存在できることは勿論である。
【００１５】
以下、図１〜図１０を参照して、本発明の実施の形態について詳細に説明する。
【００１６】
図１は、本発明のパネル構造を説明するための図であって、パネルは、上部基板１０と下部基板２０とが互いに合体して形成される。
【００１７】
上部基板１０には、維持電極対であるスキャン電極１１及びサステイン電極１２が形成され、下部基板２０には、スキャン電極１１、サステイン電極１２と交差する方向に、アドレス電極２２が形成される。
【００１８】
維持電極対１１，１２それぞれは、通常、ＩＴＯ（Ｉｎｄｉｕｍ−Ｔｉｎ−Ｏｘｉｄｅ）で形成された透明電極１１ａ，１２ａとバス電極１１ｂ，１１ｂを備え、バス電極１１ｂ，１２ｂは、銀（Ａｇ）、クロム（Ｃｒ）などの金属又はクロム／銅／クロム（Ｃｒ／Ｃｕ／Ｃｒ）の積層型又はクロム／アルミニウム／クロム（Ｃｒ／Ａｌ／Ｃｒ）の積層型で形成されることができる。また、バス電極１１ｂ，１２ｂは、透明電極１１ａ，１２ａ上に形成され、抵抗の高い透明電極１１ａ，１２ａにより、電圧降下を減らす機能を果たす。
【００１９】
また、ＰＤＰには、上部基板１０の外部から発生する外部光を吸収して、反射を減少させる光遮断の機能、上部基板１０のピュアリティー（ｐｕｒｉｔｙ）、及びＰＤＰのコントラストを向上させる機能を果たすブラックマトリックスが形成される。
【００２０】
このようなブラックマトリックスは、下部基板１０に形成される隔壁２１と重なる位置に形成される第１ブラックマトリックス１５、及び透明電極１１ａ，１２ａとバス電極１１ｂ，１２ｂとの間に形成される第２ブラックマトリックス１１ｃ，１２ｃで構成される。このように、第１及び第２ブラックマトリックス１５，１１ｃ，１２ｃに分離されて形成されるブラックマトリックスを分離型ブラックマトリックスと言い、第２ブラックマトリックス１１ｃ，１２ｃは、電極間に層をなして形成されるため、ブラック層又はブラック電極層と呼ぶことができる。
【００２１】
一方、本発明の一実施の形態のように、維持電極対１１，１２は、透明電極１１ａ，１２ａとバス電極１１ｂ，１２ｂとが積層された構造だけでなく、透明電極１１ａ，１２ａ無しでバス電極１１ｂ，１２ｂのみでも構成されることができる。このような構造は、透明電極１１ａ，１２ａを使用しないため、パネル製造の単価を下げることができるという長所があり、バス電極１１ｂ，１２ｂは、上記に列挙した材料の他に感光性材料などの多様な材料が可能である。
【００２２】
スキャン電極１１とサステイン電極１２がそれぞれ形成された上部基板１０には、上部誘電体層１３及び保護層１４が積層される。上部誘電体層１３には、放電により発生した荷電粒子が蓄積され、維持電極対１１，１２を保護する機能を果たす。
【００２３】
保護層１４は、ガス放電時に発生する荷電粒子のスパッタリングから上部誘電体層１３を保護し、２次電子の放出効率を高めるようになる。また、保護層１４は、通常、酸化マグネシウム（ＭｇＯ）が利用されているが、シリコン（Ｓｉ）が添加されたＳｉ−ＭｇＯが利用されることもできる。このとき、保護層１４に添加されるシリコン（Ｓｉ）の含有量は、重量パーセント（Ｗｔ％）を基準に５０ＰＰＭ〜２００ＰＰＭの範囲が可能である。
【００２４】
また、アドレス電極２２が形成された下部基板２０上には、下部誘電体層２４及び隔壁２１が形成され、下部誘電体層２４及び隔壁２１の表面には、ガス放電の際に発生した紫外線により発光されて可視光が発生する蛍光体２３が塗布される。
【００２５】
隔壁２１は、アドレス電極２２と並列方向に形成された縦隔壁２１ａ、及びこれと交差する方向に形成された横隔壁２１ｂで構成され、放電セルを物理的に区分し、放電により生成された紫外線及び可視光が隣接した放電セルに漏れるのを防止する。
【００２６】
同図に示すパネルの構造は、本発明に係るプラズマディスプレイパネルの構造に対する一実施の形態に過ぎないから、本発明は、同図に示すプラズマディスプレイパネルの構造に限定されない。例えば、維持電極対１１，１２それぞれが２以上の電極ラインを含んで構成されることもでき、それ以外の電極をさらに備える構造も可能である。
【００２７】
また、同図１に示すプラズマディスプレイパネルの隔壁構造は、縦隔壁２１ａと横隔壁２１ｂにより、放電セルが閉鎖構造であるクローズタイプを示しているが、これに限定されず、縦隔壁２１ａと横隔壁２１ｂの高さが異なる差等型隔壁構造、縦隔壁２１ａ又は横隔壁２１ｂのうち、少なくとも１つ以上に排気通路として使用可能なチャネルが形成されたチャネル型隔壁構造、縦隔壁２１ａ又は横格壁２１ｂのうち、１つ以上に溝（Ｈｏｌｌｏｗ）が形成された溝型隔壁構造などが可能である。また、縦隔壁２１ａ上に所定の間隔で突出部が形成されたフィッシュボーン（Ｆｉｓｈ  Ｂｏｎｅ）などの構造も可能である。
【００２８】
ここで、差等型隔壁構造である場合には、横隔壁２１ｂの高さが高いことがさらに好ましく、チャネル型隔壁構造又は溝型隔壁構造である場合には、横隔壁２１ｂにチャネル又は溝が形成されることが好ましい。
【００２９】
図２は、画像の１フレームが複数のサブフィールドに時分割駆動される方法に対する一実施の形態を示す図である。
【００３０】
同図に示すように、単位フレームは、画像の階調を表現するために、所定個数、例えば８個のサブフィールドＳＦ１，．．．，ＳＦ８に時分割駆動され得る。また、各サブフィールドＳＦ１，．．．，ＳＦ８は、リセット区間（図示せず）とアドレス区間Ａ１，．．．，Ａ８及びサステイン区間Ｓ１，．．．，Ｓ８に分割される。
【００３１】
各アドレス区間Ａ１，．．．，Ａ８では、アドレス電極Ｘにデータ信号が印加され、各スキャン電極Ｙには、これに相応するスキャン信号が順次印加される。各サステイン区間Ｓ１，．．．，Ｓ８では、スキャン電極Ｙとサステイン電極Ｚとにサステイン信号が交互に印加され、アドレス区間Ａ１，．．．，Ａ８から選択された放電セルでサステイン放電を起こす。
【００３２】
ここで、リセット区間は、複数のサブフィールドのうち、少なくとも１つにおいて省略できる。例えば、リセット区間は、最初のサブフィールドのみで存在するか、最初のサブフィールドと全サブフィールドのうち、中間程度のサブフィールドのみで存在することもできる。
【００３３】
プラズマディスプレイパネルの輝度は、単位フレームで占めるサステイン放電区間Ｓ１，．．．，Ｓ８内のサステイン放電回数に比例する。１画像を形成する１つのフレームが、８個のサブフィールドと２５６階調で表現される場合に、各サブフィールドには、順に１，２，４，８，１６，３２，６４，１２８の割合で互いに異なるサステイン信号の数が割り当てられることができる。または、１３３階調の輝度を得るためには、サブフィールド１区間、サブフィールド３区間及びサブフィールド８区間の間、セルをアドレッシングしてサステイン放電すればよい。
【００３４】
一方、各サブフィールドに割り当てられるサステイン放電回数は、ＡＰＣ（Ａｕｔｏｍａｔｉｃ  Ｐｏｗｅｒ  Ｃｏｎｔｒｏ１）ステップによるサブフィールドの加重値に応じて可変して決定されることができる。すなわち、図２では、１フレームを８個のサブフィールドに分割する場合を例に挙げて説明したが、本発明は、それに限定されず、１フレームを形成するサブフィールドの数を設計仕様により多様に変形することが可能である。例えば、１フレームを１２又は１６サブフィールドなどのように、８サブフィールド以上又は以下に分割して、プラズマディスプレイパネルを駆動させることができる。
【００３５】
また、各サブフィールドに割り当てられるサステイン放電の数は、ガンマ特性やパネル特性を考慮して多様に変形することが可能である。例えば、サブフィールド４に割り当てられた階調度を８から６に下げ、サブフィールド６に割り当てられた階調度を３２から３４に上げることができる。
【００３６】
図３は、プラズマディスプレイパネルの電極配置に対する一実施の形態を示す図である。
【００３７】
同図に示すように、複数の放電セル１５は、それぞれスキャン電極Ｙ１〜Ｙｎ、差ステイン電極Ｚ１〜Ｚｎ及びアドレス電極Ｘ１〜Ｘｎの交差部に設けられる。複数のスキャン電極Ｙ１〜Ｙｎそれぞれは、スキャン駆動部４０により順次駆動あれ、複数のサステイン電極Ｚ１〜Ｚｎは、サステイン駆動部６０から供給されるサステイン信号の印加を受け、共に駆動される。なお、複数のアドレス電極Ｘ１〜Ｘｎは、アドレス駆動部５０からスキャン信号及び同期化したデータ信号の供給を受ける。
【００３８】
一方、同図に示す電極配置及び駆動方式は、本発明に係るプラズマディスプレイパネルの一実施の形態に過ぎないため、本発明の同図に示すプラズマディスプレイパネルの電極配置及び駆動方式に限定されない。例えば、スキャン電極Ｙ１〜Ｙｎのうち、２個のスキャン電極が同時にスキャニングされるデュアルスキャン（Ｄｕａｌ  ｓｃａｎ）方式も可能である。また、アドレス電極Ｘ１〜Ｘｎが奇数番目アドレス電極Ｘ１，Ｘ３，．．．，Ｘｎ−１と偶数番目アドレス電極Ｘ２，Ｘ４，．．．，Ｘｎに分割し、奇数番目アドレス駆動部、偶数番目アドレス駆動部を備えて、それぞれ駆動信号の供給を受ける電極配置も可能である。
【００３９】
図４は、プラズマディスプレイパネルを駆動させるための駆動信号に対する一実施の形態を示すタイミングチャートである。
【００４０】
同図に示すように、それぞれのサブフィールドＳＦは、放電セル内部の電荷を初期化させるリセット区間と、画像が表示される放電セル又は画像が表示されない放電セルを選択夏というアドレス区間と、アドレス区間において選択された画像が表示される放電セルにサステイン放電を発生させて画像を表示するサステイン区間とに区分され、リセット区間は、再びセットアップ区間とセットダウン区間とに区分される。セットアップ区間には、スキャン電極Ｙに次第に上昇するセットアップ信号が印加されて、全ての放電セル内でセットアップ放電が発生して壁電荷が蓄積され、セットダウン区間には、次第に又は急激に下降するセットダウン信号を印加して、微弱な消去放電を発生させる。
【００４１】
また、リセット区間以前にプリリセット区間が存在して、壁電荷の充分な形成を補助し、リセット区間以前にスキャン電極Ｙの電圧値が次第に減少する信号を印加する間、サステイン電極Ｚに正極性の電圧を印加してプリリセット放電を発生させる。このような、プリリセット区間は、駆動マージンを考慮して最初サブフィールドＳＦ１のみに存在することが好ましい。
【００４２】
アドレス区間には、スキャン信号が各スキャン電極Ｙに順次印加されると同時に、アドレス電極Ｘには、スキャン電極Ｙに印加されるスキャン信号と同期される正極性のデータ信号が印加される。このような、スキャン信号及びデータ信号の電圧差と、リセット区間の間に生成された壁電圧により、放電セル内部では、アドレス放電が発生して、サステイン放電のための壁電荷が形成される。
【００４３】
サステイン区間には、スキャン電極Ｙとサステイン電極Ｚに交互にサステイン信号が印加され、アドレス放電により選択された放電セルは、それぞれのサステイン信号が印加されるごとに、サステイン放電、すなわち表示放電がおきるようになる。
【００４４】
一方、同図に示す波形は、本発明に係るプラズマディスプレイパネルを駆動させるための信号に対する一実施の形態であって、同図に示す波形により本発明は限定されない。例えば、リセット区間は、１つのフレームを構成する複数のサブフィールドのうち、少なくとも１つで省略でき、最初サブフィールドのみにリセット区間が存在することもできる。また、プリリセット区間は省略でき、同図に示す駆動信号の極性及び電圧レベルは、必要に応じて変更が可能である。また、前記サステイン放電が完了した後に壁電荷消去のための消去信号がサステイン電極に印加されることもでき、サステイン信号がスキャン電極ＹとサステインＺ電極のうちのいずれか１つのみに印加されてサステイン放電を起こすシングルサステイン駆動が可能である。
【００４５】
また、アドレス区間においてアドレス電極Ｘに印加されるデータ信号のうち、少なくともいずれか２つのデータ信号の幅が互いに異なることができ、これと関連して、図５〜図１０に示す多様な実施の形態を参照して説明する。
【００４６】
まず、図５に示すように、アドレス区間においてアドレス電極Ｘに印加されるデータ信号である。データ信号は、所定のデータ電圧まで上昇される上昇期間ｔ１、電圧を維持する維持期間ｔ２及び下降期間ｔ３を含む。
【００４７】
このとき、データ信号の幅は、上昇期間ｔ１、維持期間ｔ２、下降期間ｔ３の合計ｔ１＋ｔ２＋ｔ３と定義され、データ信号の上昇期間ｔ１は、実質的にアドレス放電が起きる期間であって、５０ｎｓ〜３００ｎｓの範囲であることが好ましい。そういう場合、限定されたアドレス区間においてデータ信号を十分にアドレス電極に供給でき、急激な電位変化による誤放電を防止できるようになる。
【００４８】
また、データ信号の下降期間ｔ３は、５０ｎｓ〜３００ｎｓの範囲であることが好ましい。そういう場合、緩やかに下降する電圧により変位電流のピーク値が減少し、これにより回路破損を防止できるようになる。ここで、セルの不要な放電を防止して、画面の輝度特性を向上させるために、データ信号の下降期間ｔ３は上昇時間ｔ１より長いことが好ましい。
【００４９】
また、データ信号の維持期間ｔ２は、放電時間が十分に維持されて走査されるセルの選択が円滑に行われるようにするために、１ｕｓ〜５ｕｓの範囲であることが好ましく、１．５ｕｓ〜３ｕｓの範囲であることが最も好ましい。
【００５０】
これにより、複数のサブフィールドのうちのいずれかのサブフィールドにおいてアドレス区間にアドレス電極に印加される複数のデータ信号のうち、少なくともいずれか２つのデータ信号の幅が互いに異なるように設定されることができる。
【００５１】
図６ａ〜図６ｈは、本発明に係るプラズマディスプレイ装置の駆動信号に対する多様な実施の形態を示す図である。
【００５２】
図６ａに示すように、１つのサブフィールドにおいてアドレス電極に印加される駆動信号すなわち、複数のデータ信号のうち、少なくともいずれか２つは、上昇期間が互いに異なる。例えば、第１データ信号Ａの上昇期間ｔ１と、第１データ信号が印加された後にアドレス電極に供給される第２データ信号Ｂの上昇期間ｔ４は、互いに異なるように印加される。このとき、図６ａでは、第２データ信号Ｂの上昇期間ｔ４をさらに長くして、第１データ信号の幅と第２データ信号の幅とが互いに異なるようにアドレス電極Ｘに印加される。そういう場合、第１データ信号Ａより印加時点の遅い第２データ信号の印加時に発生できる微弱な放電及び誤放電を防止できる。このとき、第１データ信号Ａと、第２データ信号の維持期間ｔ２，ｔ５及び下降期間ｔ３、ｔ６は、実質的に同じである。
【００５３】
また、１つのサブフィールドにおいてアドレス電極にデータ信号それぞれの幅を異なるように印加するために、図６ｂに示すように、データ信号の維持期間を互いに異なるように設定できる。すなわち、第１データ信号Ａの維持期間ｔ２と、第３データ信号Ｃの維持期間ｔ５とが互いに異なり、第１データ信号Ａの維持期間ｔ２より第３データ信号Ｃの維持期間ｔ５をさらに長くすることが好ましい。そういう場合、第１データ信号Ａより印加時点の遅い第３データ信号の印加時に発生できる微弱な放電時に選択されたセルのアドレス放電を十分に維持できるようになる。このとき、第１データ信号Ａと、第３データ信号の上昇期間ｔ１，ｔ４及び下降期間ｔ３、ｔ６は、実質的に同じである。
【００５４】
又は、図６ｃに示すように、第１データ信号Ａの下降期間ｔ３と、第４データ信号Ｄの下降期間ｔ６とを互いに異なるようにする。さらに好ましくは、第１データ信号Ａの下降期間ｔ３より第４データ信号Ｄの下降期間ｔ６をさらに長くする。このとき、第１データ信号Ａと、第４データ信号の上昇期間ｔ１，ｔ４及び下降期間ｔ２，ｔ５は、実質的に同じである。これにより、互いに異なる２つのデータ信号の幅が異なるようにアドレス電極Ｘに印加され得る。
【００５５】
一方、図６ａ〜図６ｂに示した図と共に説明したデータ信号は、それぞれ上昇期間、維持期間、下降期間が互いに異なることのみを示したが、本発明はこれに限定されない。例えば、図６ｄに示すように、第１データ信号Ａの上昇期間ｔ１及び下降期間ｔ３と、第５データ信号Ｅの上昇期間ｔ４及び下降期間ｔ６が同時に互いに異なるようにし、第５データ信号Ｅの上昇期間ｔ４及び下降期間ｔ６をさらに長くすることが好ましい。すなわち、いずれか２つのデータ信号の上昇期間、維持期間、下降期間のうち、少なくとも１つが異なるようにアドレス電極Ｘに印加され得る。
【００５６】
また、図６ｅ〜図６ｈに示すように、１サブフィールドのアドレス区間において第１データ信号Ａ、第２データ信号Ｂ、第３データ信号Ｃの組み合わせでアドレス電極Ｘに印加されりことができ、第１データ信号Ａ、第３データ信号Ｃ、第５データ信号Ｅの組み合わせも可能である。すなわち、１サブフィールドにおいてアドレス区間に印加される複数のデータ信号それぞれは、幅が互いに異なるようにアドレス電極Ｘに印加され得る。
【００５７】
図７ａ〜図７ｃは、本発明に係るプラズマディスプレイ装置のスキャン信号とデータ信号の関係に対する多様な実施の形態を示す図である。
【００５８】
図７ａに示すように、１つのサブフィールドのアドレス区間においてスキャン電極Ｙに順次印加されるスキャン信号は、それぞれ下降期間ｔ４、維持期間ｔ５、上昇期間ｔ６からなる。このようなスキャン信号に同期されてアドレス電極Ｘに印加されるデータ信号の下降期間ｔ３と、スキャン信号の上昇期間ｔ６とは、互いに異なり、データ信号の下降期間ｔ３が比較的長く印加されることが好ましい。そういう場合、実質的にアドレス放電が発生しない期間でデータ信号の下降期間において電位変化が緩やかになされて、電流ピーク値を減少させることにより、回路損傷及び誤放電によるアドレス電極Ｘの壁電荷損失を防止できるようになる。
【００５９】
また、図７ｂに示すように、データ信号の上昇期間ｔ１と、スキャン信号の上昇期間ｔ４とが互いに異なるようにすることができる。さらに好ましくは、データ信号の上昇期間ｔ１がさらに長く設定される。これにより、１つのサブフィールドにおいてスキャン信号の印加時点及び終了時点と、データ信号の印加時点ｔａ，ｔｂ及び終了時点ｔｃ，ｔｄとが互いに異なるようになる。例えば、図７ａ〜図７ｂに示すように、スキャン信号の終了時点ｔｃと、データ信号の終了時点ｔｄとが異なることができ、図７ｃに示すように、スキャン信号とデータ信号の終了時点だけでなく、スキャン信号の印加時点ｔａと、データ信号の印加時点ｔｂとが互いに異なることができる。
【００６０】
このとき、スキャン信号の印加時点ｔａと、データ信号の印加時点ｔｂの差は、１０ｎｓ〜３００ｎｓの範囲であり、スキャン電極Ｙとアドレス電極Ｘとの間にアドレス放電が円滑に行われるようにするために、１０ｎｓ〜２００ｎｓの範囲であることが最も好ましい。また、スキャン信号の終了時点ｔｃと、データ信号のｔｄの終了時点との差は、１０ｎｓ〜２００ｎｓの範囲であることが好ましい。
【００６１】
一方、本発明に係るプラズマディスプレイ装置のスキャン信号とデータ信号の関係について、図７ａ〜図７ｃを参照して説明したが、これは本発明に対する一実施の形態に過ぎず、これに限定されない。例えば、スキャン信号の上昇期間、維持期間、下降期間が、データ信号の下降期間、維持期間、上昇期間より長く設定されることができ、データ信号の印加時点がスキャン信号の印加時点より早いか、又はデータ信号の終了時点がスキャン信号の終了時点より早いこともある。
【００６２】
また、複数のサブフィールドのうち、いずれか２サブフィールドにおいてスキャン信号の印加時点とデータ信号の印加時点との差及び終了時点間の差がそれぞれことなることができる。例えば、図８に示すように、任意の第１サブフィールド１ＳＦいおいてスキャン信号の印加時点ｔ１と、データ信号の印加時点ｔ２との差は、第２サブフィールド２ＳＦにおいてスキャン信号の印加時点ｔ５とデータ信号の印加時点ｔ６との差と互いに異なる。これとともに、終了時点の差も互いに異なることができる。
【００６３】
このように、複数のサブフィールドのうち、いずれか２サブフィールドにおいてスキャン信号とデータ信号の印加時点及び終了時点の差を互いに異なるようにすることによって、１つのサブフィールド内でデータ信号の幅が異なるだけでなく、サブフィールド間のデータ信号の幅も互いに異なるようになる。
【００６４】
図９ａ〜図９ｃは、本発明に係るプラズマディスプレイ装置のデータ信号に対する多様な実施の形態を示す図である。
【００６５】
図９ａ〜図９ｃに示すように、複数のサブフィールドのうち、任意の第１サブフィールド１ＳＦでのデータ信号ａと、第１サブフィールド１ＳＦより比較的時点が遅い第２サブフィールド２ＳＦでのデータ信号ｂは、その幅が互いに異なるように印加されて、時点が遅い第２サブフィールドにおいて微弱な放電により誤放電が発生するのを防止する。すなわち、図９ａに示すように、第１サブフィールド１ＳＦにおいてアドレス電極Ｘに印加されるデータ信号ａの下降期間ｔ３より、第２サブフィールド２ＳＦにおいてアドレス電極Ｘに印加されるデータ信号ｂの下降期間ｔ６をさらに長くして電流ピーク値を減少させることにより、次の放電時に発生し得る誤放電を防止できる。
【００６６】
又は図９ｂに示すように、第１サブフィールド１ＳＦのデータ信号ａより第２サブフィールド２ＳＦのデータ信号ｃの維持期間ｔ５を長くして、微弱な放電時に発生するミスライティング（ｍｉｓｗｒｉｔｉｎｇ）を防止できる。
【００６７】
また、図９ｃに示すように、第１サブフィールド１ＳＦのデータ信号ａより第２サブフィールド２ＳＦのデータ信号ｃの上昇期間ｔ４を長くして、アドレス放電時に誤放電が発生するのを防止する。
【００６８】
一方、本明細書では、第１サブフィールド１ＳＦ及び第２サブフィールド１ＳＦのデータ信号それぞれが上昇期間、維持期間、下降期間のみが異なることを説明したが、本発明はこれに限定されない。すなわち、上昇期間、維持期間、下降期間のうち、少なくとも１つ以上が異なるようにして、データ信号の幅を可変させることができる。また、図１０ａ〜図１０ｃに示すように、幅が異なるデータ信号を当業者により既設定されたサブフィールド群に印加されるようにすることができる。また、複数のサブフィールドのうち、各々のサブフィールドでのデータ信号が全て異なることができる。
【００６９】
以上のように、本発明によるプラズマディスプレイ駆動装置を例示した図面を参照して説明したが、本明細書に開示された実施の形態と図面により本発明は限定されず、本発明の技術思想が保護される範囲内で当業者により応用が可能である。
【図面の簡単な説明】
【００７０】
【図１】プラズマディスプレイ装置のパネル構造に対する一実施の形態を示す図である。
【図２】プラズマディスプレイ装置の画像の１フレームが複数のサブフィールドに時分割駆動される方法に対する一実施の形態を示す図である。
【図３】プラズマディスプレイパネルの電極配置に対する一実施の形態を示す図である。
【図４】プラズマディスプレイパネルを駆動させるための駆動信号に対する一実施の形態を示す図である。
【図５】本発明に係るプラズマディスプレイ装置のデータ信号を示す図である。
【図６ａ】本発明に係るプラズマディスプレイ装置のデータ信号に対する実施の形態を示す図である。
【図６ｂ】本発明に係るプラズマディスプレイ装置のデータ信号に対する実施の形態を示す図である。
【図６ｃ】本発明に係るプラズマディスプレイ装置のデータ信号に対する実施の形態を示す図である。
【図６ｄ】本発明に係るプラズマディスプレイ装置のデータ信号に対する実施の形態を示す図である。
【図６ｅ】本発明に係るプラズマディスプレイ装置のデータ信号に対する実施の形態を示す図である。
【図６ｆ】本発明に係るプラズマディスプレイ装置のデータ信号に対する実施の形態を示す図である。
【図６ｇ】本発明に係るプラズマディスプレイ装置のデータ信号に対する実施の形態を示す図である。
【図６ｈ】本発明に係るプラズマディスプレイ装置のデータ信号に対する実施の形態を示す図である。
【図７ａ】本発明に係るプラズマディスプレイ装置のスキャン信号とデータ信号の関係に対する実施の形態を示す図である。
【図７ｂ】本発明に係るプラズマディスプレイ装置のスキャン信号とデータ信号の関係に対する実施の形態を示す図である。
【図７ｃ】本発明に係るプラズマディスプレイ装置のスキャン信号とデータ信号の関係に対する実施の形態を示す図である。
【図８】本発明に係るプラズマディスプレイ装置のスキャン信号とデータ信号の関係に対する実施の形態を示す図である。
【図９ａ】複数のサブフィールドのうち、任意のサブフィールドでのデータ信号に対する実施の形態を示す図である。
【図９ｂ】複数のサブフィールドのうち、任意のサブフィールドでのデータ信号に対する実施の形態を示す図である。
【図９ｃ】複数のサブフィールドのうち、任意のサブフィールドでのデータ信号に対する実施の形態を示す図である。
【図１０ａ】複数のサブフィールドのうち、任意のサブフィールドでのデータ信号に対する実施の形態を示す図である。
【図１０ｂ】複数のサブフィールドのうち、任意のサブフィールドでのデータ信号に対する実施の形態を示す図である。
【図１０ｃ】複数のサブフィールドのうち、任意のサブフィールドでのデータ信号に対する実施の形態を示す図である。
【図１】
2007114790.tif 000003
【図２】
2007114790.tif 000004
【図３】
2007114790.tif 000005
【図４】
2007114790.tif 000006
【図５】
2007114790.tif 000007
【図６ａ】
2007114790.tif 000008
【図６ｂ】
2007114790.tif 000009
【図６ｃ】
2007114790.tif 000010
【図６ｄ】
2007114790.tif 000011
【図６ｅ】
2007114790.tif 000012
【図６ｆ】
2007114790.tif 000013
【図６ｇ】
2007114790.tif 000014
【図６ｈ】
2007114790.tif 000015
【図７ａ】
2007114790.tif 000016
【図７ｂ】
2007114790.tif 000017
【図７ｃ】
2007114790.tif 000018
【図８】
2007114790.tif 000019
【図９ａ】
2007114790.tif 000020
【図９ｂ】
2007114790.tif 000021
【図９ｃ】
2007114790.tif 000022
【図１０ａ】
2007114790.tif 000023
【図１０ｂ】
2007114790.tif 000024
【図１０ｃ】
2007114790.tif 000025